(57)【要約】【課題】携帯電話機の通話契約解除後にカメラやゲーム等のアプリケーション専用端末として、アプリケーションに特化したユーザインタフェースや機能拡張が可能な無線通信装置を提供する。【解決手段】電源を起動し（ステップＳＴ１０）、待ち受け状態になった後に（ステップＳＴ１１）、所定のキーを押下し（ステップＳＴ１２）、セキュリティのためのロックナンバーを入力し（ステップＳＴ１３）、認証されると、事業者と通話契約中であるか否かをチェックし（ステップＳＴ１４）、通話契約中でない場合はアプリケーション専用モードを選択し、通話契約中の場合はアプリケーション優先モードが選択される。いずれのモードへ移行した場合でも、以後電源起動時にはすぐにカメラ撮影等のアプリケーションが立ち上がる。【選択図】図４
2005079910.tif 000002
【特許請求の範囲】
【請求項１】
複数のキーを含む入力手段と、
無線通信を行う無線通信手段と、
表示手段と、
電源投入したときに前記表示手段に表示させる画面として待ち受け画面を表示させる通常モードと、電源投入したときに前記無線通信に依存しないアプリケーションを起動すると共に、前記表示手段の表示画面として前記アプリケーションに対応する画面を表示するアプリケーションモードとを有し、
前記入力手段により所定の入力操作が行われると、前記通常モードから前記アプリケーションモードに移行する制御手段と
を有することを特徴とする無線通信装置。
【請求項２】
前記アプリケーションモードは、
無線通信および前記無線通信に依存しないアプリケーションの両方を実行可能なアプリケーション優先モードと、前記アプリケーションのみを実行可能なアプリケーション専用モードの二つの制御モードを有することを特徴とする
請求項１記載の無線通信装置。
【請求項３】
通話契約に関する登録情報をさらに有し、
前記制御手段は、
前記通話契約に関する登録情報に応じて、電源起動時に実行する前記二つの制御モードのいずれかを選択することを特徴とする
請求項２記載の無線通信装置。
【請求項４】
複数のキーを含む入力手段と、
無線通信を行う無線通信手段と、
前記無線通信に依存しないアプリケーションのみを実行可能なアプリケーション専用モードを有し、前記複数のキーのうちの所定のキーの操作に応じて、前記アプリケーション専用モードを、電源起動時に実行する一の制御モードとして選択可能とする制御手段と、  前記無線通信に要するデータである第１のデータと前記アプリケーションの実行に要するデータである第２のデータを格納する記憶手段と
を有し、
前記制御手段は、
前記アプリケーション専用モード時には、前記記憶手段が前記第１のデータを格納する領域の少なくとも一部を、前記アプリケーションの実行により生じたデータを格納するために指定可能とすることを特徴とする
無線通信装置。
【請求項５】
前記記憶手段は、データ格納領域を少なくとも２以上有し、
前記制御手段は、
前記第１のデータを第１のデータ領域に格納し、前記第２のデータを第２のデータ領域に格納することを特徴とする
請求項４記載の無線通信装置。
【請求項６】
前記第２のデータは、前記アプリケーションの実行により生じたデータを格納する領域を指定する領域指定情報を含み、
前記制御手段は、
前記領域指定情報に基づいて、アプリケーション専用モードの場合には、前記第１のデータ領域を指定可能とすることを特徴とする
請求項５記載の無線通信装置。
【請求項７】
前記第２のデータは、制御モード選択情報を含み、
前記制御手段は、
前記所定のキーの操作がされると、前記制御モード選択情報に基づいて、前記アプリケーション専用モードを、電源起動時に実行するか否かを選択することを特徴とする
請求項４記載の無線通信装置。
【発明の詳細な説明】
【技術分野】
【０００１】
本発明は、携帯電話に代表される無線通信装置、特にカメラ機能等のアプリケーションを有する無線通信装置に関するものである。
【背景技術】
【０００２】
携帯電話機のユーザによる機種変更のサイクルが早いために、機種変更後の携帯電話機（端末）は破棄処分されるか、データバックアップのためにユーザが保管する以外に使い道がなくなっているという状況がある。
すなわち、携帯電話機の契約解除後の使用方法は下記のようになっている。
【０００３】
１）事業者による回収
利用契約を解除した携帯電話機を事業者が回収する。
２）ユーザが保管（データのみ利用）
契約解除した後でも、契約中にダウンロードした画像や音楽データを利用したい場合には、ユーザは端末を所持し続ける。また、携帯電話機の更新（いわゆる機種変更）の際に、以前に使用していた端末のアドレス帳のデータを取り出して、機種変換後の端末へデータ移動する場合のデータのバックアップとして、以前の端末を所持し続ける場合もある。保管。特に、近年著作権等の問題により、当該端末でしか再生できないデータが増加しており、ユーザが契約解除後の端末も保存するケースが増加する傾向にある。
３）契約解除後の携帯電話機の再契約（中古の端末の再契約）
ユーザが一旦利用契約を解除した場合でも、再度利用契約を結び使用することが可能である。
【０００４】
上述のとおり、携帯電話機の機種変更のサイクルが早くなっている一方、上記２）のとおり、契約解除後もユーザが端末を所持し続ける傾向が高いことから、契約解除後の端末の利用範囲を広げることは、重要な課題である。特に、近年ユーザによって、端末契約中に、ゲーム等のアプリケーションをダウンロードしたり、アプリケーション機能のバージョンを追加したりすることが行われており、これらの追加機能を有するアプリケーションを端末契約後においても利用するケースが増えていくことが予想される。
【０００５】
ところで、音楽再生機能やゲーム機能等のアプリケーション機能を有する携帯電話機において、待ち受け機能を停止させるための待ち受け停止モードを有することにより、着信等によりアプリケーションの使用を中断することなく、ユーザが好みの時間帯にアプリケーションを楽しむことができるという発明が、下記特許文献１に開示されている。
【０００６】
一方、待ち受け機能を含む電話機機能を停止させる電話機機能停止モードを有し、該電話機機能停止モード設定後一定期間経過した後に電話機機能を有効とする動作モードに自動的に復帰させることにより、電話機機能停止中に音楽等のアプリケーションを利用することができ、かつ、一旦停止させた電話機機能を復帰させる操作をユーザが忘れないようにするという発明が、下記特許文献２に開示されている。
【特許文献１】特開２００２−２２３２７１号公報
【特許文献２】特開２００２−２３２９５９号公報
【発明の開示】
【発明が解決しようとする課題】
【０００７】
しかし、上記特許文献１，２に記載された発明は、電話機機能（通話機能）が有効な期間（端末契約期間）中において、アプリケーションのみを利用することができる一定時間を確保することを目的とするものであって、契約解除後の端末利用範囲を広げることを意図したものではない。そのため、端末契約終了後に、ユーザが携帯電話機をアプリケーション専用端末として使用し続けていくことに対して、アプリケーションに適したユーザインタフェースや記憶容量（メモリ）等の点で、ユーザにとって必ずしも満足のいくものとはなっていなかった。
【０００８】
本発明は、かかる事情に鑑みてなされたものであり、その目的は、端末契約解除後にカメラやゲーム等のアプリケーション専用端末として、アプリケーションに特化したユーザインタフェースや機能拡張が可能な無線通信装置を提供することにある。
【課題を解決するための手段】
【０００９】
上記目的を達成するために、本発明の第１の観点は、複数のキーを含む入力手段と、無線通信を行う無線通信手段と、表示手段と、電源投入したときに前記表示手段に表示させる画面として待ち受け画面を表示させる通常モードと、電源投入したときに前記無線通信に依存しないアプリケーションを起動すると共に、前記表示手段の表示画面として前記アプリケーションに対応する画面を表示するアプリケーションモードとを有し、前記入力手段により所定の入力操作が行われると、前記通常モードから前記アプリケーションモードに移行する制御手段とを有する。
【００１０】
好適には、前記アプリケーションモードは、無線通信および前記無線通信に依存しないアプリケーションの両方を実行可能なアプリケーション優先モードと、前記アプリケーションのみを実行可能なアプリケーション専用モードの二つの制御モードを有する。
【００１１】
好適には、通話契約に関する登録情報をさらに有し、前記制御手段は、前記通話契約に関する登録情報に応じて、電源起動時に実行する前記二つの制御モードのいずれかを選択する。
【００１２】
上記目的を達成するために、本発明の第２の観点は、複数のキーを含む入力手段と、無線通信を行う無線通信手段と、前記無線通信に依存しないアプリケーションのみを実行可能なアプリケーション専用モードを有し、前記複数のキーのうちの所定のキーの操作に応じて、前記アプリケーション専用モードを、電源起動時に実行する一の制御モードとして選択可能とする制御手段と、前記無線通信に要するデータである第１のデータと前記アプリケーションの実行に要するデータである第２のデータを格納する記憶手段とを有し、前記制御手段は、前記アプリケーション専用モード時には、前記記憶手段が前記第１のデータを格納する領域の少なくとも一部を、前記アプリケーションの実行により生じたデータを格納するために指定可能とする。
【発明の効果】
【００１３】
本発明の無線通信装置によれば、事業者と通話契約を解除した後の端末の利用範囲を広げることができ、端末の寿命を延ばす有効な手段を提供できる。
【発明を実施するための最良の形態】
【００１４】
第１の実施形態
以下に、本発明に係る第１の実施形態について説明する。
第１の実施形態における携帯電話機１は、たとえばカメラ付き携帯電話機であり、無線通信を可能とする電話機機能のほかに、無線通信に依存せずカメラ撮影が可能なアプリケーション機能（カメラ撮影機能）を有している。
【００１５】
図１は、本発明に係る携帯電話機１について、その本体が閉じられた（折り畳まれた）状態を示す図である。図１において、携帯電話機１は、本体ケース１０と、カメラレンズ１１と、フラッシュ用ライト１２と、外部液晶表示部１３と、シャッターボタン１４と、送受信アンテナ１５とを主要部として備えて構成される。
図２は、本発明に係る携帯電話機１について、その本体が開かれた状態を示す図である。図２のとおり、携帯電話機１は、本体が開かれた状態において内部液晶表示部１６と、操作部１７とをさらに有する。
【００１６】
なお、本発明における無線通信装置は、本実施形態における携帯電話機１に対応する。  本発明における入力手段は、本実施形態における操作部１７に対応する。
本発明における無線通信手段は、本実施形態における後述する無線部５０に対応する。  本発明における制御手段は、本実施形態における後述する主制御部７０に対応する。
【００１７】
カメラレンズ１１は、本体ケース１０中央付近に配置され、被写体の撮影のために集光する。
フラッシュ用ライト１２は、カメラレンズ１１に近接して配置され、シャッターボタン１４が操作されると、自動的に、または、ユーザの設定に応じて被写体方向に対して発光する。
【００１８】
外部液晶表示部１３は、液晶表示パネル（ＬＣＤパネル）により構成され、後述する画面制御部７１の制御に応じて、
シャッターボタン１４は、本体ケース１０の側部に配置され、押下（操作）されるとカメラ撮影が実行される。
【００１９】
送受信アンテナ１５は、図１に示すように、折り畳まれた状態における本体ケース１０の上端部に引き出し可能に設けられている。
【００２０】
操作部１７は、図２に示すように、ケース本体１０の下部側に配置され、終了（終話）／電源キー、開始（発呼）キー、閲覧モードキー、上下左右キー、ファンクションキー、数字０〜９やア（あ）行〜ワ（わ）行文字に対応したのテンキー、＊キー、＃キー、文字キー、クリアキー等の複数のキーが割り当てられている。
【００２１】
図３は、携帯電話機１の内部ブロック図である。
図３に示すとおり、携帯電話機１は、内部構成として、送受信アンテナ１５と、無線部５０と、プログラム領域６１，６２と、データ領域６３と、主制御部７０とを有し、主制御部７０はさらに画面制御部７１と、カメラ制御部７２と、キー操作部７３と、カード制御部７４とを有する。
【００２２】
無線部５０は、電波を利用した無線通信で行うために、主制御部７０で処理された音声情報、ＩＤ、Ｗｅｂページデータの閲覧要求情報等を変調して送受信アンテナ１５により図示しない基地局（ＢＳ）に送信する。
また、無線部５０は、基地局から無線により送信され、送受信アンテナ１５で受信したページデータや音声情報等の各種情報を復調して主制御部７０に出力する。
【００２３】
記憶手段としてのプログラム領域６１は、ＲＯＭにより構成され、画面制御（ＬＣＤ制御）、カメラ制御、キー操作制御、カード制御のために必要な制御プログラムが記憶される。
【００２４】
記憶手段としてのプログラム領域６２は、たとえばＥＥＰＲＯＭ等の電気的に消去可能なメモリを含んで構成され、通話やメールの送受信のための制御プログラム、インターネットブラウザ等の無線通信に必要な制御プログラムが記憶される。
【００２５】
記憶手段としてのデータ領域６３は、たとえばＥＥＰＲＯＭ等の電気的に消去可能なメモリを含んで構成され、メッセージデータ、名前および電話番号が登録されたアドレス帳（電話帳データ）等が記憶される。また、カメラ撮影により作成した画像データもデータ領域６３に記憶される。
【００２６】
主制御部７０は、マイクロコンピュータを主体して構成されて携帯電話機１の全体の制御を行う。たとえば、主制御部７０は、無線部５０における各種情報の無線による送受信の制御、電源起動時のイニシャライズ処理、音声情報の処理、プログラム領域６１，６２とデータ領域６３のアクセス制御等を行う。
本実施形態において、主制御部７０は、通常の電源起動直後の待ち受け状態である通常モードのほか、電源起動直後にアプリケーションプログラムを実行するアプリケーションモードを有している。特に、アプリケーションモードとしては、後述する２つの制御モード、すなわち、アプリケーション専用モードと、発着信可能で専用モードを有しているアプリケーション優先モードの２つの制御モードを有しており、主制御部７０は、ユーザからの操作部１７への操作（コマンド）に応じて、通常モードからアプリケーション専用モードもしくはアプリケーション優先モードへ制御モードを変更する。
【００２７】
画面制御部７１は、外部液晶表示部１３および内部液晶表示部１６への情報の表示制御を行う。
キー操作部７３は、操作部１７を通したユーザの操作に基づいて、入力情報に応じた処理を行う。
カード制御部７４は、携帯電話機１に搭載されたメモリカード用スロット（図示しない）を通して、スロットに挿入されたメモリカードとデータ領域６３のインターフェース制御を行う。
【００２８】
次に、本実施形態における携帯電話機１の動作について説明する。
図４は、携帯電話機１の動作を説明するためのフローチャートである。以下、図４のフローチャートに沿って、各ステップを説明する。
【００２９】
ステップＳＴ１０：
たとえば、電源キー１７ａを押下（操作）することで、携帯電話機１内の電源が印加され、主制御部７０が所定の起動処理（イニシャライズ処理）を行う。
【００３０】
ステップＳＴ１１：
主制御部７０の起動処理が終了すると、携帯電話機１は、デフォルト設定された制御モードとして待ち受け画面を内部液晶表示部１６に表示させる。すなわち、発着信可能で、かつ、操作部１７でメニューからの入力等によりカメラ撮影等のプログラム領域６１が内蔵するアプリケーションプログラムが実行可能な状態となる（通常モード）。
【００３１】
ステップＳＴ１２：
ここで、操作部１７を通して所定の操作を行うことにより、主制御部７０に対して制御モードの切替え手続きに必要なコマンドを入力する。図４においては、操作部１７の電源キーおよびシャッターボタン１４を同時に長時間（たとえば５秒）押下（操作）すると、主制御部７０がキー操作部７３を通して入力された信号が、制御モードの切り替え指示のコマンドであると判断して、制御モードの切替え手続きを実行する。操作部１７およびシャッターボタン１４を通した所定の操作（コマンド）は、上述した操作に限られず任意に設定することができることは言うまでもない。
上記所定の操作が行われない場合は、制御モードの切り替えを行わない状態を維持し、上記所定の操作が行われた場合は、ステップＳＴ１３へ移行する。
【００３２】
ステップＳＴ１３：
操作部１７の電源キーおよびシャッターボタン１４を同時に５秒間押下（操作）され、主制御部７０により制御モードの切替え手続きが実行されると、たとえば４桁のロックナンバーを入力する画面となるように、主制御部７０が画面制御部７１へ指示する。
ロックナンバーは、携帯電話機１の製造時に設定され、ユーザが端末購入後に、適宜設定変更可能な４桁の番号（たとえば「００００」）であり、たとえばプログラム領域６１に格納されている。主制御部７０は、４桁の番号が操作部１７を通して入力されると、キー操作部７３を介して、プログラム領域６１に格納されている正規のロックナンバーと比較して認証する。
【００３３】
その結果、入力された４桁の番号が正規のロックナンバーと一致した場合は、次のステップに移行し、一致しない場合は何もしない、もしくはエラーの報知を行う。正規のロックナンバーと一致した場合には、後述するように、契約状態によってはすぐにアプリケーション専用モードへ移行し、これにより、無線通信に必要な情報が失われる場合もあるため、セキュリティの点から本ステップを設定している。
これにより、ユーザの誤操作により、意図しない制御モードの変更が行われることを防止することができる。
【００３４】
ステップＳＴ１４：
ユーザが入力したロックナンバーが主制御部７０により正しく認証されると、現在の携帯電話機１の契約状態がチェックされる。
一般に、端末契約後における携帯電話機の処理については、２つのケースがあり、１つは、ユーザが携帯端末事業者（以下、事業者）に使用していた携帯電話機を持ち込み、契約終了手続きを行うケースである。
この場合、事業者によって、携帯電話機のメモリ内の登録情報を書き換えられ、契約中にユーザに割り当てた電話番号が削除される。これにより、契約中のユーザの通話のために開放された周波数を使用ができなくなるため、通話機能は失われる。
この第１のケースでは、メモリ内の登録情報を確認することで、容易に契約状態をチェックすることが可能である。
【００３５】
第２のケースは、ユーザが携帯電話機を事業者に持ち込まず、事業者に契約解除の旨を届け出ることにより、事業者が端末契約の解除を行うケースである。事業者は、この届け出により、ネットワーク内に存在するその携帯電話機固有の端末ＩＤに応じた端末認証に必要な情報を書き換える手続きを行うことで、この手続き以後、ネットワーク側で認証が成立しないため、通話機能を行うことができない。
【００３６】
ところで、一般に携帯電話機では、端末がどこにいるのかをネットワーク側で常に把握していないと接続を自動的に行うことができないため、基地局との通信により位置登録を行っている。すなわち、ロケーションエリア変更を検知した場合に、携帯電話機は自機内の位置情報を更新するとともに、ネットワークへ通知する。
第２のケースにおける携帯電話機では、基地局との通信により、位置登録の更新のためにネットワークに対してアクセスを試みるが、上述したとおり、ネットワーク側で認証が成立しないので、ネットワークより認証が成立しない（位置情報が登録できない）旨が通知される。この通知は、基地局からの間欠受信のタイミングで行われる。
【００３７】
したがって、第２のケースでは、自機の端末ＩＤの位置情報が登録できないという通知を基地局から受信するので、自機の契約状態をチェックすることが可能となる。
すなわち、この通知を受信した場合には、たとえばプログラム領域６１に記憶される契約データフラグ（たとえば、「１」：契約あり，「０」：契約なし）を「０」として、主制御部７０がこの契約データフラグをチェックするように構成すれば、契約状態の有無を判断することができる。
【００３８】
ステップＳＴ１５：
プログラム領域６１の契約データフラグをチェックした結果、契約が終了したと判断した場合は、主制御部７０は、制御モードを通常モードからアプリケーション専用モードに切替える。
アプリケーション専用モードに切替えられると、以後、ユーザが電源オフして再度電源オンすると、主制御部７０は制御モードをアプリケーション専用モードとして、携帯電話機１を動作させる。
【００３９】
具体的には、アプリケーション起動フラグ（たとえば、「１」：アプリケーション起動する，「０」：アプリケーション起動しない）を用意し、本ステップＳＴ１５にて、アプリケーション起動フラグを「１」に設定し、電源起動時にシステムをイニシャライズする際に、主制御部７０がこのアプリケーション起動フラグを常にチェックする。
そして、前段のステップＳＴ１４にて、契約データフラグが「０」（契約なし）となっており、電源起動時のシステムのイニシャライズ中にこの契約データフラグもチェックする結果、契約が終了していることがわかるので、上記アプリケーション起動フラグおよび契約データフラグの両方をチェックすることにより、主制御部７０は、制御モードを通常モードからアプリケーション専用モードへ移行させる。
【００４０】
無線通信を行う可能性がないアプリケーション専用モードにおいては、無線通信のためのユーザインタフェースを考慮する必要がないため、アプリケーションに特化したユーザインタフェースを構築できる。具体的には、以下に説明するようにユーザインタフェースが改善される。
【００４１】
通常、ユーザがカメラ付き携帯電話機などの携帯電話機により、カメラ機能のアプリケーションを動作させようとした場合、以下のようなステップが必要になる。
すなわち、
ステップ１：電源の起動（電源キーの押下）
ステップ２：待ち受け画面（発着信などの無線通信が可能な状態）
ステップ３：メニュー画面（ファンクションキーの押下）
ステップ４：カメラモード選択（上下左右キーの押下）
ステップ５：カメラモード起動（シャッターボタン１４を操作すれば撮影可能な状態）といったステップが必要になる。
【００４２】
アプリケーション専用モードでは、上記ステップを以下のとおり簡略化し、カメラ機能のアプリケーションに特化したユーザインタフェースとする。
すなわち、
ステップ１：電源の起動（電源キーの押下）
ステップ２：カメラモード起動（プレビューが内部液晶表示部１６に表示され、シャッターボタン１４を操作すれば撮影可能な状態）
といったステップで済むので、ユーザにとっては、操作部１７の電源キーを押下するだけで、すぐにカメラ撮影を開始することができ、携帯電話機１の操作性（ユーザインタフェース）が向上する。
【００４３】
ステップＳＴ１６：
データ領域６３の契約データフラグをチェックした結果、端末契約中であると判断した場合は、主制御部７０は、制御モードを通常モードからアプリケーション優先モードに切替える。
アプリケーション専用モードに切替えられると、以後、ユーザが電源オフして再度電源オンすると、主制御部７０は、制御モードをアプリケーション優先モードとして、携帯電話機１を動作させる。
【００４４】
具体的には、ステップＳＴ１５で述べたアプリケーション起動フラグ（たとえば、「１」：アプリケーション起動する，「０」：アプリケーション起動しない）を、ステップＳＴ１５同様、「１」に設定し、電源起動時にシステムをイニシャライズする際に、アプリケーション起動フラグを常にチェックする。
そして、前段のステップＳＴ１４にて、契約データフラグが「１」（契約あり）となっているため、電源起動時のシステムのイニシャライズ中にこの契約データフラグもチェックする結果、通話契約中であることがわかるので、上記アプリケーション起動フラグおよび契約データフラグの両方をチェックすることにより、主制御部７０は、制御モードを通常モードからアプリケーション優先モードへ移行させる。
【００４５】
アプリケーション優先モードにおいては、上述したアプリケーション専用モードと同様に、アプリケーション（カメラ撮影機能）に対するユーザインタフェース性能が向上する。
すなわち、
ステップ１：電源の起動（電源キーの押下）
ステップ２：カメラモード起動（シャッターボタン１４を操作すれば撮影可能な状態）により、電源キーを押下するとアプリケーションが優先され、待ち受け画面ではなくプレビューが内部液晶表示部１６に表示されて、すぐにカメラ撮影を開始することが可能となる。
さらに、アプリケーション優先モードにおいては、端末契約中であり無線通信が可能であるため、カメラのアプリケーションプログラムが実行中であっても、送受信が可能となる。つまり、アプリケーションプログラムが実行中でも、操作部１７が操作されれば発呼（電話）できる状態となり、また、アプリケーションプログラムが実行中に着信された場合でも、アプリケーションプログラムを終了または中断して着信に対して応答することができる。
【００４６】
以上説明したように、本実施形態における携帯電話機１によれば、通常の待ち受け状態である通常モードの状態でユーザが所定のキーを押下（操作）し、ロックナンバーが認証されると、通話契約中でない場合は、たとえばカメラ撮影機能に特化したアプリケーション専用モードへ移行し、通話契約中の場合は、アプリケーションを優先しつつ無線通信も可能なアプリケーション優先モードへ移行する。
携帯電話機１の電源を起動した際に、アプリケーション専用モードの場合は、プレビューが表示画面上に表示され、すぐに撮影可能な状態となり、また、アプリケーション優先モードの場合は、プレビューが表示画面上に表示され、すぐに撮影可能な状態となると同時に通話機能も確保されているので、カメラ撮影機能に対するユーザインタフェース性能が向上する。
特に、通話契約終了後は無線通信機能を考慮する必要がないので、アプリケーション専用端末として、ユーザインタフェース性能の向上効果が大きい。
【００４７】
本発明は、上記実施形態で説明した内容に拘泥せず、様々な変更が可能である。
たとえば、上記実施形態ではアプリケーションとしてカメラ撮影機能の場合を説明したが、他にアプリケーションとして音楽再生機能やゲーム機能も考えられる。
また、このような複数のアプリケーションの中から、アプリケーション専用モードやアプリケーション優先モードにおいて電源起動時に実行されるアプリケーションを選択するには、たとえば、図４におけるステップＳＴ１３のロックナンバー入力後に、アプリケーション選択画面を設けて、ユーザによりアプリケーションを選択させるステップを設けるように主制御部７０を構成すればよい。
【００４８】
第２の実施形態
本実施形態における携帯電話機の構成は、第１の実施形態において説明した携帯電話機１と同一であるが、アプリケーション専用モードにおけるメモリの割り付け処理に特徴がある。
【００４９】
なお、本発明における無線通信装置は、本実施形態における携帯電話機１に対応する。  本発明における入力手段は、本実施形態における操作部１７に対応する。
本発明における無線通信手段は、本実施形態における無線部５０に対応する。
本発明における制御手段は、本実施形態における主制御部７０に対応する。
本発明における記憶手段は、本実施形態におけるプログラム領域６１とプログラム領域６２に対応する。
本発明における第１のデータ領域は、本実施形態におけるプログラム領域６２に対応する。
本発明における第２のデータ領域は、本実施形態におけるプログラム領域６１に対応する。
【００５０】
上述したとおり、アプリケーション専用モードにおいては、すでにユーザが契約を解除しているため、無線通信を行うことができない。したがって、通話やメールの送受信のための制御プログラム、インターネットブラウザ等の無線通信に必要な制御プログラムが記憶されるプログラム領域６２は、アプリケーション専用モードでは利用することができない。
また、メッセージデータ、名前および電話番号が登録されたアドレス帳等が記憶されるデータ領域６３についても、これらのデータについては、カメラ機能のアプリケーションプログラムの実行に必要なデータではないため、アプリケーション専用モードでは保存しなくてもよいデータである。
【００５１】
したがって、端末契約中に無線通信のために使用していたプログラム領域６２を、たとえばカメラ等のアプリケーションプログラムの実行により生成されたデータ（画像データなど）の保存領域として端末契約後に利用することができれば、ユーザがより多くの画像データを保存させることができるので、契約解除後の端末の利用範囲を広げることが可能となる。
【００５２】
以上の観点から、本実施形態における携帯電話機１は、アプリケーション専用モードにおいて、契約中の携帯電話機１のメモリの割り付けを契約解除後に変更することで、アプリケーションに割り当てるメモリ領域を拡大するものである。
【００５３】
図５は、アプリケーション専用モードにおけるメモリ構造を説明するための図である。  本実施形態においては、図４で説明したようにユーザが所定のキーを押下（操作）してロックナンバーが認証されると、契約中でない場合は、アプリケーション専用モードへ移行する（図４のステップＳＴ１５）。その際、主制御部７０は、図５に示すとおり、プログラム領域６２およびデータ領域６３を新たなデータ領域６４として、アプリケーションで生成されたデータを格納する領域として割り当てる。
【００５４】
具体的には、アプリケーションプログラムを格納するプログラム領域６１に、アプリケーション（カメラ撮影機能）の実行により生ずる画像データを格納するためのメモリ内のアドレスを指定する領域指定情報が含まれており、アプリケーション専用モードへ移行すると、主制御部７０は、この領域指定情報をプログラム領域６２を含むように変更する。これにより、アプリケーションの実行により生じたデータを、データ領域６３だけでなく、プログラム領域６２にも格納することが可能となる。
【００５５】
この場合、たとえば発着信履歴データ，電話帳データや発着信のプログラムデータなどのプログラム領域６２に格納するデータを、アプリケーション専用モードに移行した場合にはすぐに消去して、アプリケーション専用データ（カメラの画像データ）を格納するエリアとして割り付けるように構成してもよいし、また、アプリケーション専用データ（カメラの画像データ）を格納するエリアとして開放し、生成される画像データに応じて上書きしていくように構成してもよい。
【００５６】
プログラム領域６２に含まれるデータは、上述したとおり、消去または上書きされる可能性があるので、第１の実施形態で説明した契約データフラグやアプリケーションフラグといった制御モード選択情報は、本実施形態においては、プログラム領域６１に含める必要がある。これにより、主制御部７０は、プログラム領域６１に格納される制御モード選択情報に基づいて、電源起動時に制御モード（アプリケーション専用モードまたはアプリケーション優先モード）を適切に選択することができる。
【００５７】
図５に示すとおり、アプリケーション専用モードへ移行しても、画面制御やカメラ制御等のプログラムデータが格納されるプログラム領域６１に変更はなく、また、無線処理を行う必要がないので、無線部５０と主制御部７０とは切り離されたと考えることができる。
【００５８】
以上説明したように、本実施形態における携帯電話機によれば、ユーザが所定のキーを押下（操作）し、ロックナンバーが認証されると、契約中でない場合はアプリケーション専用モードへ移行し、アプリケーション専用モードにおいては、携帯電話機内のメモリの割り付けを変更することにより、発着信プログラム等の無線通信に必要なプログラムやデータを格納した領域をカメラ等のアプリケーションプログラムにより生成されるデータ（たとえば、画像データ）を格納するために指定可能とするので、以下の効果がある。
すなわち、ユーザは、携帯電話機の通話契約解除後において、アプリケーション専用端末として、無線通信に必要なプログラムやデータを格納した領域にもカメラで撮影したデータ（画像データ）を格納することができるので、契約中の場合と比較して、より多くの画像データを格納することができ、アプリケーション専用端末としての機能が向上する。  
【００５９】
本発明は、上記実施形態で説明した内容に拘泥せず、様々な変更が可能である。
たとえば、アプリケーションとしてカメラ撮影機能の場合を説明したが、他にアプリケーションとして音楽再生機能やゲーム機能も考えられる。こういった複数のアプリケーションを有する場合には、制御モード移行前に、あらかじめユーザに電源投入時に実行すべきアプリケーションを設定させることが好ましい。
また、バックアップデータとしての電話帳データや送受信メール履歴など、ユーザによっては通話契約解除後にも保存しておきたいデータもあり得るので、ユーザに発着信プログラム等の無線通信に必要なプログラムやデータを格納した領域（プログラム領域６２とデータ領域６３）のなかで、ユーザが保存しておきたいデータと保存する必要がないデータを選択できるように、構成してもよい。
【図面の簡単な説明】
【００６０】
【図１】携帯電話機が閉じられた状態を示す図である。
【図２】携帯電話機が開かれた状態を示す図である。
【図３】携帯電話機の内部ブロック図である。
【図４】本発明に係る携帯電話機の動作を示すフローチャートである。
【図５】本発明に係る携帯電話機のカメラ専用モードにおける内部ブロック図である。
【符号の説明】
【００６１】
１…携帯電話機
１０…本体ケース
１１…カメラレンズ
１２…フラッシュ用ライト
１３…外部液晶表示部
１４…シャッターボタン
１５…送受信アンテナ
１６…内部液晶表示部
１７…操作部
５０…無線部
６１，６２…プログラム領域
６３，６４…データ領域
７０…主制御部
７１…画面制御部
７２…カメラ制御部
７３…キー操作部
７４…カード制御部。
【図１】
2005079910.tif 000003
【図２】
2005079910.tif 000004
【図３】
2005079910.tif 000005
【図４】
2005079910.tif 000006
【図５】
2005079910.tif 000007